(57)【要約】      （修正有）【課題】室内美観を損なうことなく、スピーカーの振動板の背面側に放射される音波が直接に天井や壁或いは床等の室内面に直接入力されることのないスピーカーシステム及びこれを備える建物を提供する。【解決手段】スピーカー２９，３０と、建物内空間（居室）の入隅（天井側入隅）に沿って配設される建材本体（廻り縁本体２１）を複数に分割して形成された筒体（分割廻り縁２３）と、前記複数の筒体（分割廻り縁２３）の隣接する対向端部同士を連結する連結部材と、を備えている。スピーカー取付板部に前記スピーカーを取り付ける取付穴が形成され、前記スピーカーのフレームが前記スピーカー取付板部の前記取付穴側縁部に取り付けられ、前記スピーカー取付板部の前記建物内空間（居室）側の面を覆う通気性を有する前カバー（分割前カバー２２ａ）を備えている。【選択図】図５
2007104393.tif 000002
【特許請求の範囲】
【請求項１】
スピーカーと、
建物内空間の入隅に沿って配設される建材本体を複数に分割して形成された筒体と、
前記複数の筒体の隣接する対向端部同士を連結する連結部材と、を備え、
前記複数の筒体の少なくとも1つに前記建物内空間に臨むスピーカー取付板部が設けられ、
前記スピーカー取付板部に前記スピーカーを取り付ける取付穴が形成され、前記スピーカーのフレームが前記スピーカー取付板部の前記取付穴側縁部に取り付けられ、
前記スピーカー取付板部の前記建物内空間側の面を覆う通気性を有する前カバーを備えていることを特徴とするスピーカーシステム。
【請求項２】
前記スピーカー取付板部に設けられたスピーカー接続端子と、
前記各筒体の前記建物内空間に臨む部分であって前記スピーカー取付板部を避けた部分に前記建材本体の延びる方向に延設された前記スピーカー接続端子への配線を収容する配線用溝と、
前記配線用溝に連通する前記連結部材に設けられた連結配線部と、
を備えていることを特徴とする請求項１に記載のスピーカーシステム。
【請求項３】
前記前カバーは前記配線用溝を覆う形状に形成されていることを特徴とする請求項２に記載のスピーカーシステム。
【請求項４】
前記各筒体の両端部は前記連結部材とは異なる蓋体により閉成されていることを特徴とする請求項１〜３のいずれか一つに記載のスピーカーシステム。
【請求項５】
前記筒体の前記入隅付近の取付面に接する部分に弾性材料製の振動吸収層を設けたことを特徴とする請求項１〜４のいずれか一つに記載のスピーカーシステム。
【請求項６】
前記振動吸収層は前記筒体を押し出し成形により形成する際に前記筒体に一体に形成したことを特徴とする請求項１〜５のいずれか一つに記載のスピーカーシステム。
【請求項７】
前記入隅は建物内の壁と天井との間の天井側入隅又は壁と床との間の床側入隅若しくは隣接する壁間に形成された壁側入隅であり、前記建材本体は前記天井側入隅の廻り縁または前記床側入隅の巾木若しくは前記壁側入隅に設けられる支柱であることを特徴とする請求項１〜６のいずれか一つに記載のスピーカーシステム。
【請求項８】
前記請求項１〜７のいずれか一つに記載のスピーカーシステムを備える建物。
【発明の詳細な説明】
【技術分野】
【０００１】
この発明は、建物内空間の入隅に沿って配設されるスピーカーシステム及びこれを備える建物に関するものである。
【背景技術】
【０００２】
従来、建物内に設置されるスピーカーシステムとしては、スピーカーを天井から吊り下げるようにしたものが知られている（例えば、特許文献１，２参照）。また、他のスピーカーシステムとしては、隣接する壁と天井との三面で形成されるコーナにスピーカーを取り付けたものも知られている（例えば、特許文献３参照）。尚、スピーカーを天井や壁に埋め込んだスピーカーシステムも知られている。
【０００３】
しかし、これらのスピーカーシステムでは、スピーカーが露出していたため、室内美観を損ねるものであった。
【０００４】
これを解消するスピーカーシステムとしては、例えば壁と天井の交差する天井側入隅に沿ってパネルを配設すると共に、このパネルを壁と天井に跨るように取り付けて、このパネルにスピーカーを取り付け、このスピーカーの前面をカバーで覆うようにしたものが知られている（例えば、特許文献４，５参照）。
【特許文献１】特開２００４−８１５３７号公報
【特許文献２】特開２００３−２３９５０６号公報
【特許文献３】実公平７−２４８６７号公報
【特許文献４】特開平６−１４９２６５号公報
【特許文献５】実用新案登録第２５６４１９８号公報（実開平５−５７２２１号公報）
【発明の開示】
【発明が解決しようとする課題】
【０００５】
しかしながら、天井側入隅を利用するスピーカーシステムでは、天井及び壁とパネルとの間に形成される断面三角形状の収容空間にスピーカーを配設し、このスピーカーの前面側周縁部をパネルに設けた取付穴に取り付けるようにしていたので、スピーカーの振動板の背面側の収容空間に放出される音が天井や壁を介して外部や他の部屋に漏れ易い構造となっていた。このような音漏れを防止するための防音対策をする必要があるが、この防音対策は容易に行うことができる構造であるのが望ましい。
【０００６】
そこで、この発明は、室内美観を損なうことなく、しかも、スピーカーの振動板の背面側に放射される音波が直接に天井や壁或いは床等の室内面に直接入力されることのないスピーカーシステム及びこれを備える建物を提供することを目的とするものである。
【課題を解決するための手段】
【０００７】
この目的を達成するため、請求項１の発明のスピーカーシステムは、スピーカーと、建物内空間の入隅に沿って配設される建材本体を複数に分割して形成された筒体と、前記複数の筒体の隣接する対向端部同士を連結する連結部材と、を備え、前記複数の筒体の少なくとも1つに前記建物内空間に臨むスピーカー取付板部が設けられ、前記スピーカー取付板部に前記スピーカーを取り付ける取付穴が形成され、前記スピーカーのフレームが前記スピーカー取付板部の前記取付穴側縁部に取り付けられ、前記スピーカー取付板部の前記建物内空間側の面を覆う通気性を有する前カバーを備えていることを特徴とする。
【０００８】
また、請求項２の発明は、前記スピーカー取付板部に設けられたスピーカー接続端子と、前記各筒体の前記建物内空間に臨む部分であって前記スピーカー取付板部を避けた部分に前記建材本体の延びる方向に延設された前記スピーカー接続端子への配線を収容する配線用溝と、前記配線用溝に連通する前記連結部材に設けられた連結配線部と、を備えていることを特徴とする。
【０００９】
更に、請求項３の発明は、前記前カバーは前記配線用溝を覆う形状に形成されていることを特徴とする。
【００１０】
また、請求項４の発明は、前記各筒体の両端部は前記連結部材とは異なる蓋体により閉成されていることを特徴とする。
【００１１】
また、請求項５の発明は、前記筒体の前記入隅付近の取付面に接する部分に弾性材料製の振動吸収層を設けたことを特徴とする。
【００１２】
更に、請求項６の発明は、前記振動吸収層は前記筒体を押し出し成形により形成する際に前記筒体に一体に形成したことを特徴とする。
【００１３】
また、請求項７の発明は、前記入隅は建物内の壁と天井との間の天井側入隅又は壁と床との間の床側入隅若しくは隣接する壁間に形成された壁側入隅であり、前記建材本体は前記天井側入隅の廻り縁または前記床側入隅の巾木若しくは前記壁側入隅に設けられる支柱であることを特徴とする。
【００１４】
また、請求項８の発明は、前記請求項１〜７のいずれか一つに記載のスピーカーシステムを備える建物としたことを特徴とする。
【発明の効果】
【００１５】
上述した請求項１の構成によれば、建材本体を構成する筒体の建物内空間に臨むスピーカー取付板部にスピーカーを取り付けると共に、スピーカー取付板部の建物空間に臨む面を前カバーで覆っているので、スピーカーが取り付けられた筒体は建物用建材の一部として機能する。この結果、スピーカーにより室内美観が損なわれるのを防止できる。
【００１６】
しかも、建物用建材は複数の筒体を連結することにより形成され、筒体内に背面を向けたスピーカーが筒体のスピーカー取付板部に取り付けられているので、スピーカーの振動板の背面側へ放出される音波が直接に筒体取付面に伝播しない。この構造では、スピーカーの背面から放出される音が直接に筒体取付面に入力される構造に比べて、筒体取付面を介して漏れる音を十分に低減させることができる。また、音漏れを更に低減させたい場合には、複数の筒体を連結する前に筒体内に防音材等を容易に施すことができる。
【００１７】
また、請求項２の構成によれば、スピーカーへの配線を容易に行うことができる。
【００１８】
更に、請求項３の構成によれば、配線用溝も前カバーで覆われているので、配線用溝及び配線が室内美観を損うようなことはない。
【００１９】
また、請求項４の構成によれば、各筒体の両端部は前記連結部材とは異なる蓋体により閉成されているので、スピーカーボックスとなる筒体間を確実に区画して、隣接する筒体のスピーカー同士の干渉を確実に防止できる。
【００２０】
また、請求項５の構成によれば、スピーカの動作に伴う筒体の振動が振動吸収層により吸収されて、スピーカーの背面から放出される音が直接に天井や壁或いは床等の室内面に直接入力されることがないので、天井や或いは壁等の室内面から外部や他の部屋に漏れる音を抑制できる。
【００２１】
また、請求項６の構成によれば、スピーカーを室内に配置してもスピーカーにより室内美観が損なわれることなく、天井や或いは壁等の室内面から外部や他の部屋に漏れる音を抑制することができる。
【００２２】
また、請求項７の構成によれば、建物内空間に設けられる廻り縁または巾木若しくは支柱等の建物用建材にスピーカーが組み込まれるので、建物内空間の美観を損なうことなくスピーカーを配置できる。
【００２３】
また、請求項８の構成によれば請求項１〜７の効果を有する。
【発明を実施するための最良の形態】
【００２４】
以下、この発明の実施の形態を図面に基づいて説明する。
[構成]
図１は建物の一部である居室１を概略的に説明する説明図である。この居室（建物内空間）１は、方形状の床２と、床２の４辺から立ち上がる４つの壁３，４，５，６と、壁３，４，５，６上の天井７を有する（図２参照）。
【００２５】
この床２と壁３，４，５，６とが交差するコーナには床側入隅８，９，１０，１１がそれぞれ形成され、壁３，４，５，６の隣接するもの同士の交差するコーナには壁側入隅１２，１３，１４，１５がそれぞれ形成され、壁３，４，５，６と天井７とが交差するコーナには天井側入隅１６，１７，１８，１９がそれぞれ形成されている。
【００２６】
この天井側入隅１６，１７，１８，１９には、図３に示したように建物用建材である廻り縁２０がそれぞれ取り付けられている。この廻り縁２０は、図４に示した廻り縁本体（建材本体）２１と、廻り縁本体２１の居室２側の面を覆う廻り縁カバー２２を有する。
【００２７】
この廻り縁本体２１は、複数に分割された筒状（中空）の分割廻り縁（筒体すなわちスピーカーボックス）２３（図５参照）と、分割廻り縁２３の両端部を閉成する図１０Ｂの端壁部材２４（図１１，図１２参照）を有する。この分割廻り縁２３は、樹脂を押し出し成形することにより形成されている。尚、この筒状の分割廻り縁２３をスピーカーボックスとして使用する際に、音質を改善するためにＡＢＳ樹脂に１〜数％の木粉が混ぜられた材料、並びに、成形時に発泡する発泡剤を含む材料を押し出し成形により形成すると良い。この木粉は、新しい木材から作ることもできるが、廃材等を利用して作ることもできる。
（分割廻り縁２３）
この分割廻り縁２３は、図１０に示したように天井７に臨ませる上壁２３ａと、壁３（４，５，６）に臨ませる縦壁２３ｂと、上壁２３ａ及び縦壁２３ｂに連設され且つ居室２に臨むスピーカー取付板部２３ｃを有する。これらの壁２３ａ〜２３ｃと端壁部材２４との間に筒体内空間２５が形成されている。
【００２８】
しかも、上壁２３ａの上面にはゴム等の弾性部材製の複数の振動吸収部材（振動吸収層）２３Ｄが固着されている。この振動吸収部材２３Ｄは、断面が扇形状に形成されていると共に、上壁２３ａに形成されたＶ字状溝Ｍ１に固着されている。このＶ字状溝Ｍ１は分割廻り縁２３の長手方向に延びている。また、振動吸収部材２３Ｄは、上壁２３ａの上面から上方に突出し且つＶ字状溝Ｍ１に沿って延びていて、上壁２３ａを天井７に取り付けたときに、天井７の下面に弾接して、分割廻り縁２３側からの振動が天井７に伝わるのを抑制するようになっている。
【００２９】
また、縦壁２３ｂの外面にはゴム等の弾性部材製の複数の振動吸収部材（振動吸収層）２３Ｅが固着されている。この振動吸収部材２３Ｅは、断面が扇形状に形成されていると共に、縦壁２３ｂに形成されたＶ字状溝Ｍ２に固着されている。このＶ字状溝Ｍ２は分割廻り縁２３の長手方向に延びている。また、振動吸収部材２３Ｅは、縦壁２３ｂの外面から壁３（４，５，６）側に突出し、且つＶ字状溝Ｍ２に沿って延びていて、縦壁２３ｂを壁３（４，５，６）に取り付けたときに、壁３（４，５，６）に弾接して、分割廻り縁２３側からの振動が壁３（４，５，６）に伝わるのを抑制するようになっている。
【００３０】
これらの振動吸収部材２３Ｄ，２３Ｅは、分割廻り縁２３を押し出し成形する際に、分割廻り縁２３の上壁２３ａ及び縦壁２３ｂに固着させ、いわゆる同時多色成形させたものである。尚、振動吸収部材２３Ｄ，２３Ｅの断面形状は扇状の層に形成した例を示したが、断面形状が扇状の振動吸収部材２３Ｄ，２３Ｅに変えて扁平な振動吸収層を設けても良い。
【００３１】
また、図１０Ａに示したように、スピーカー取付板部２３ｃには複数のスピーカー取付用の取付穴２６，２７，２８が形成され、この取付穴２６，２７，２８には背面側を筒体内空間２５に向けたスピーカー２９，３０，ならびにダクト・ターミナル部材３１がそれぞれ挿入されている。
【００３２】
尚、ダクト・ターミナル部材３１は、スピーカー取付板部２３ｃと筒体内空間２５とを連通するバスレフダクト３１ａと、配線接続用のターミナル３１ｂとを備えている。ターミナル３１ｂには図６〜図８に示したようにスピーカー２９，３０に接続する配線接続用のスピーカー接続端子３２，３３が設けられている。バスレフダクト３１ａならびにターミナル３１ｂは、別々に形成されたバスレフダクトならびにターミナルをそれぞれ取り付けても良い。また、図７及び図８は図６のスピーカー２９，３０，ならびに、ダクト・ターミナル部材３１の配列が逆になっている。
【００３３】
このスピーカー２９の前縁部はスピーカー取付板部２３ｃの取付穴２６側縁部に着脱可能にビス固定され、スピーカー３０の前縁部はスピーカー取付板部２３ｃの取付穴２７側縁部に着脱可能にビス固定され、ダクト・ターミナル部材３１の前縁部はスピーカー取付板部２３ｃの取付穴２８側縁部に着脱可能にビス固定されている。
【００３４】
また、上壁２３ａには天井取付壁部２３ａ１が延設され、縦壁２３ｂには壁取付壁部２３ｂ１が延設されている。そして、天井取付壁部２３ａ１はビス３４で天井７に固定され、壁取付壁部２３ｂ１はビス３５で壁３（４，５，６）に固定されている。尚、この天井取付壁部２３ａ１や壁取付壁部２３ｂ１にも上述した振動吸収部材２３Ｄ，２３Ｅを設けるのが望ましい。
【００３５】
更に、天井取付壁部２３ａ１の端縁部には分割廻り縁２３の長手方向に延び且つ下方に突出する一対のフランジ３６ａ，３６ｂが形成され、このフランジ３６ａ，３６ｂ間には分割廻り縁２３の長手方向に延び且つ下方に開放するカバー係止溝３６が形成されている。しかも、フランジ３６ｂとスピーカー取付板部２３ｃの上部との間には係止溝３６ｃが形成されている。
【００３６】
また、壁取付壁部２３ｂ１の下縁には底壁２３ｂ２が水平に連設され、底壁２３ｂ２の端縁部近傍の部分には分割廻り縁２３の長手方向に延びる縦フランジ２３ｂ３が突設されている。この壁取付壁部２３ｂ１と縦フランジ２３ｂ３との間には分割廻り縁２３の長手方向に延びる配線用溝３７が形成され、底壁２３ｂ２の先端部と縦フランジ２３ｂ３との間には分割廻り縁２３の長手方向に延び且つ上方に開放するカバー係止溝２３ｂ４が形成されている。
【００３７】
尚、スピーカー２９，３０からの音声振動により分割廻り縁２３（スピーカーボックス）が振動したときに、配線用溝３７内に配設される配線が振動するのを防止するために、分割廻り縁２３の押し出し成形時に配線用溝３７内にエラストマーのような軟質材料を同時に成形して添着すると良い。また、係止溝３６ｃならびに係止溝２３ｂ４にも、前カバーの振動防止のために軟質材料を同時に成形しても良い。
（端壁部材２４）
この端壁部材２４は、樹脂の成形部材若しくはゴム等の弾性部材から形成され、図１０Ｂ，図１２に示したように筒部２４ａと、筒部２４ａの一端を閉成する端壁部２４ｂを有している（図１１，図１２参照）。この端壁部材２４は、図１０Ｂに示したように、端壁部２４ｂ側から分割廻り縁２３の端部に嵌着されている。
【００３８】
また、図１０Ｂに示したように、隣接する分割廻り縁２３，２３の対向端部に嵌着された端壁部材２４，２４間には連結部材３８が配設されている。
（連結部材）
この連結部材（結合部材）３８は、側面形状が図１３の如く略セクター状に形成された仕切壁部３９と、図１３の如く仕切壁部３９のコーナ部側に位置し且つ図１０Ｂの如く仕切壁部３９の両側に突設された中空の嵌合突部４０，４０と、図１３の如く仕切壁部３９のコーナ部とは反対側に位置し且つ図１０Ｂ，図１４の如く仕切壁部３９の両側に突設された前側係合突部４１，４１を有する（図７Ａ参照）。
【００３９】
嵌合突部４０内は、図１３に示したように升目状の仕切壁４０ａにより仕切られて補強されている（図７Ａ参照）。しかも、図１０Ｂの如く嵌合突部４０，４０は、分割廻り縁２３，２３の端部に嵌着した端壁部材２４，２４の筒部２４ａ，２４ａにそれぞれ嵌着されている（図１０Ａ参照）。これにより、隣接する分割廻り縁２３，２３の対向端部は一つの連結部材３８と２つの端壁部材２４，２４を介して連結（結合）されている。
【００４０】
また、図１３に示したように前側係合突部４１は、仕切壁部３９の先端に沿う円弧状板部４１ａと、分割廻り縁２３のスピーカー取付板部２３ｃに沿わせる形状の当接板部４１ｂと、配線用溝３７の嵌合する形状の連結配線部４１ｃを有する。
【００４１】
そして、図１０Ａ，図１０Ｂのように嵌合突部４０を分割廻り縁２３の端部に端壁部材２４を介して取り付けたときに、図１０Ｃのように当接板部４０はスピーカー取付板部２３ｃに当接し、前側係合突部４１の上端部が分割廻り縁２３の係止溝３６ｃの端部内に係止させられ、連結配線部４１ｃが分割廻り縁２３の配線用溝３７の端部に嵌合させられる。尚、連結配線部４１ｃは、図示したような形状に限定されず、一部が開放された溝状形状であってもよい。
【００４２】
この配線用溝３７及び連結配線部４１ｃには各分割廻り縁２３のスピーカー２９，３０への複数の配線４２が配設されている。そして、この複数の配線４２は、各分割廻り縁２３のターミナル３１ｂのスピーカー接続端子３２，３３に前側から接続されている。
（廻り縁カバー２２）
この廻り縁カバー２２は図４に示したように複数の分割前カバー（前カバー）２２ａを有する。この分割前カバー２２ａは、図１０，図１０Ｃに示したように側面形状が連結部材３８の先端の円弧形状に沿う形状に形成されている。しかも、分割前カバー２２ａは、分割廻り縁２３のスピーカー取付板部２３ｃ及び配線用溝３７と、分割廻り縁２３の両端部に係合している連結部材３８の前側係合突部４１，４１とを覆う大きさに形成されている。
【００４３】
尚、この分割前カバー２２ａには、パンチングにより多数の通気穴を形成した通気性の金属板、又はエッチング等により多数の通気穴を形成した通気性の金属板を用いることができる。また、分割前カバー２２ａには、金属フレームに金網を取り付けた通気性の金網カバー、若しくは、金属フレームに布を取り付けた構造の通気性の布カバーを用いることができる。もちろん、分割前カバー２２ａには、樹脂で成形された通気穴を備えるフレームや、これにサランネットを被せたものを用いることもできる。
【００４４】
このような分割前カバー２２ａは、上縁部及び下縁部が分割廻り縁２３のカバー係止溝３６，２３ｂ４にそれぞれ係止されている。
【００４５】
また、壁５には図２の如く薄型のモニターテレビ４３が取り付けられており、このモニターテレビ４３の音源ユニット４４は複数の配線４２を介して各分割廻り縁２３のスピーカー取付板部２３ｃのターミナル３１ｂに接続されている。４５は、モニターテレビ４３を鑑賞するために用いる椅子である。
[作用]
次に、このような構成のスピーカーシステムの作用を説明する。
【００４６】
このようなスピーカーシステムでは、スピーカーシステムである建物の廻り縁（建物用建材）２０を廻り縁本体２１と廻り縁カバー２２から形成して、廻り縁本体２１の分割廻り縁２３に組み込んだスピーカー２９，３０，ならびにダクト・ターミナル部材３１を廻り縁カバー２２の分割前カバー２２ａで覆うようにしているので、スピーカー２９，３０，ならびにダクト・ターミナル部材３１は居室内に露出しないので、これらが美観を損なうようなことは生じない。
【００４７】
また、椅子４５に着座した利用者がモニターテレビ４３を鑑賞する場合に、モニターテレビ４３の音源ユニット４４からの音声信号は配線４２を介して廻り縁２０に組み込んだスピーカー２９，３０に送られ、スピーカー２９，３０が音声信号に基づいて振動し、スピーカー２９，３０ならびにダクト３１ａから音波が放出される。この音波は、分割前カバー２２ａを介して居室１内の椅子４５に着座している利用者まで伝播されることになる。
【００４８】
この場合でも、利用者はスピーカー２９，３０，ならびにダクト・ターミナル部材３１が露出していないので、スピーカー２９，３０，ならびにダクト・ターミナル部材３１を意識せずにモニターテレビ４３を鑑賞できることになる。
【００４９】
しかも、隣接する分割廻り縁２３，２３内の空間同士は弾性部材製の端壁部材２４及び連結部材３８により遮蔽されているので、一つの分割廻り縁２３のスピーカー２９，３０の背面から内部に放出される音声がこの分割廻り縁２３に隣接する他の分割廻り縁２３内に伝播されて干渉するのを端壁部材２４及び連結部材３８によって未然に防止できる。
【００５０】
また、スピーカー２９，３０の振動に際して、分割廻り縁２３も振動するが、この振動は振動吸収部材２３Ｄ，２３Ｅにより吸収されて天井７や壁３（４，５，６）等に伝わるのを抑制される。この結果、天井７や壁３（４，５，６）等を介して外部や他の部屋に漏れる音が減少される。
【００５１】
また、分割廻り縁２３は、ＡＢＳ樹脂等を押し出し成形することにより形成でき、その長さも任意に設定できる。しかも、スピーカーボックスとして使用する分割廻り縁２３は一つの壁に対して１つ設ければ良く、また、２つ以上設けてもよい。例えば、２つ以上の場合には、それぞれが、ステレオ左チャンネル及びステレオ右チャンネルの２つに対応しても良く、また、直列（若しくは並列）接続された１つのチャンネルとして使用されても良い。また、スピーカーボックスとして使用しない分割廻り縁２３には取付穴を設けずに、この分割廻り縁２３を連結部材３８を介して他の分割廻り縁２３に連結する。更に、端の分割廻り縁２３は一つの壁に沿って設けられる廻り縁２０の長さ調整のために任意に形成する。
【００５２】
更に、配線４２は、連結部材３８の連結配線部４１ｃを介して隣接する分割廻り縁２３，２３の配線用溝３７，３７に配線されるので、隣接する分割廻り縁２３，２３の配線用溝３７，３７への配線４２の配設を容易に行うことができる。尚、連結配線部４１ｃが図示したような筒状形状である場合には、配線用溝３７，３７に配設された配線４２の抜け外れを確実に防止できる。
【００５３】
また、配線用溝３７及び連結部材３８の前側係合突部４１は、分割前カバー２２ａで覆われているので、室内美観を損なうことがない。
【００５４】
しかも、図１０Ｂのように嵌合突部４０を分割廻り縁２３の端部に端壁部材２４を介して取り付けたときに、図１０Ｃのように前側係合突部４１の当接板部４０はスピーカー取付板部２３ｃに当接し、前側係合突部４１の上端部が分割廻り縁２３の係止溝３６ｃの端部内に係止させられ、前側係合突部４１の連結配線部４１ｃが分割廻り縁２３の配線用溝３７の端部に嵌合させられるので、連結部材３８の嵌合突部４０と前側係合突部４１とで分割廻り縁２３の端部を挟持する状態となる。この結果、分割廻り縁２３の長手方向と交差する方向への外力が連結部材３８に作用しても、連結部材３８が分割廻り縁２３の端部から抜け外れるのを確実に防止できる。
【００５５】
また、スピーカー２９，３０への配線４２の接続は、各分割廻り縁（スピーカーボックス）２３の居室（建物空間側）１側のターミナル３１ｂのスピーカー接続端子３２，３３に前側から接続できるので、配線４２のスピーカー２９，３０への接続を容易に行うことができる。
（変形例）
以上説明した実施例では、天井側入隅１６〜１９の廻り縁２０にスピーカー２９，３０，ならびにダクト・ターミナル部材３１を組み込んだ例を示したが、必ずしもこれに限定されるものではない。
【００５６】
例えば、床側入隅８〜１１に設けられる巾木（図示せず）にスピーカーを組み込むこともできるし、壁側入隅１２〜１５に設けられる支柱にスピーカーを組み込むこともできる。これらのスピーカーを組み込む場合も、廻り縁２０と同様な構成とすることができる。
（その他）
尚、嵌合突部４０を端壁部材２４の筒部２４ａに嵌合し且つ筒部２４ａに接着固定すると共に、端壁部材２４の端壁部２４ｂを嵌合突部４０の先端に当接させた状態で、この嵌合突部４０を端壁部材２４と一体に分割廻り縁２３の端部に嵌合することにより、嵌合突部４０及び端壁部材２４が分割廻り縁２３の端部に取り付けることができる。
【００５７】
この場合、端壁部材２４の筒部２４ａが分割廻り縁２３の端部内に弾接するようにすることで、端壁部材２４の筒部２４ａを分割廻り縁２３の端部に摩擦固定できる。この状態では、嵌合突部４０を分割廻り縁２３の端部から端壁部材２４と一体に取り外すことが可能である。
【００５８】
また、端壁部材２４を分割廻り縁２３の端部に嵌着し且つ分割廻り縁２３の端部に接着固定しておいて、嵌合突部４０を端壁部材２４の筒部２４ａに嵌着することにより、嵌合突部４０を分割廻り縁２３の端部に取り付けることもできる。
【００５９】
この場合、嵌合突部４０は、端壁部材２４の筒部２４ａに弾接させて摩擦固定させる。この状態では、嵌合突部４０を分割廻り縁２３の端部の端壁部材２４から取り外すことが可能である。
【００６０】
更に、嵌合突部４０と端壁部材２４及び端壁部材２４と分割廻り縁２３の端部とを接着固定することもできる。
【００６１】
以上説明したように、この発明の実施の形態のスピーカーシステムは、スピーカー（２９，３０）と、建物内空間（居室１）の入隅（天井側入隅１６〜１９）に沿って配設される建材本体（廻り縁本体２１）を複数に分割して形成された筒体（分割廻り縁２３）と、前記複数の筒体（分割廻り縁２３）の隣接する対向端部同士を連結する連結部材と、を備えている。しかも、スピーカーシステムは、前記複数の筒体（分割廻り縁２３）の少なくとも１つに前記建物内空間（居室１）に臨むスピーカー取付板部２３ｃが設けられ、前記スピーカー取付板部２３ｃに前記スピーカーを取り付ける取付穴（２６〜２７）が形成され、前記スピーカーのフレームが前記スピーカー取付板部２３ｃの前記取付穴（２６〜２７）側縁部に取り付けられ、前記スピーカー取付板部２３ｃの前記建物内空間（居室１）側の面を覆う通気性を有する前カバー（分割前カバー２２ａ）を備えている。
【００６２】
この構成によれば、建材本体（廻り縁本体２１）を構成する筒体（分割廻り縁２３）の建物内空間（居室１９に臨むスピーカー取付板部２３ｃにスピーカー（２９，３０）を取り付けると共に、スピーカー取付板部２３ｃの建物空間（居室１）に臨む面を前カバー（分割前カバー２２ａ）で覆っているので、スピーカー（２９，３０）が取り付けられた筒体（分割廻り縁２３）は建物用建材（廻り縁本体２１）の一部として機能する。この結果、スピーカー（２９，３０）により室内美観が損なわれるのを防止できる。
【００６３】
しかも、建物用建材（廻り縁本体２１）は複数の筒体（分割廻り縁２３）を連結することにより形成され、筒体（分割廻り縁２３）内に背面を向けたスピーカー（２９，３０）が筒体（分割廻り縁２３）のスピーカー取付板部２３ｃに取り付けられているので、スピーカー（２９，３０）の背面から放出される音が直接に筒体取付面（天井７，壁３〜６）に入力されることがない。この構造では、筒体取付面（天井７，壁３〜６）の背面から放出される音が直接に筒体取付面（天井７，壁３〜６）に入力される構造に比べて、筒体取付面（天井７，壁３〜６）を介して漏れる音を十分に低減させることができる。また、音漏れを更に低減させたい場合には、複数の筒体を連結する前に筒体（分割廻り縁２３）内に防音材等を容易に施すことができる。
【００６４】
また、この発明の実施の形態のスピーカーシステムは、前記スピーカー取付板部に設けられたターミナル３１ｂ（スピーカー接続端子３２，３３）と、前記各筒体（分割廻り縁２３）の前記建物内空間（居室１）に臨む部分であって前記スピーカー取付板部２３ｃを避けた部分に前記建材本体（廻り縁本体２１）の延びる方向に延設された前記ターミナル３１ｂ（スピーカー接続端子３２，３３）への配線を収容する配線用溝３７と、前記配線用溝３７に連通する前記連結部材に設けられた連結配線部４１ｃと、を備えている。この構成によれば、スピーカー（２９，３０）への配線を容易に行うことができる。
【００６５】
更に、この発明の実施の形態のスピーカーシステムの前記前カバー（分割前カバー２２ａ）はターミナル３１ｂ（スピーカー接続端子３２，３３），配線用溝３７及び連結配線部４１ｃを覆う形状に形成されている。
【００６６】
この構成によれば、ターミナル３１ｂ（スピーカー接続端子３２，３３），配線用溝３７及び連結配線部４１ｃも前カバー（分割前カバー２２ａ）で覆われているので、ターミナル３１ｂ（スピーカー接続端子３２，３３），配線用溝３７，連結配線部４１ｃ及び配線４２が室内美観を損うようなことはない。
【００６７】
また、この発明の実施の形態のスピーカーシステムの前記各筒体（分割廻り縁２３）の両端部は前記連結部材３８とは異なる蓋体（端壁部材２４）により閉成されている。
【００６８】
この構成によれば、各筒体（分割廻り縁２３）の両端部は前記連結部材３８とは異なる蓋体（端壁部材２４）により閉成されているので、スピーカーボックスとなる筒体（分割廻り縁２３）間を確実に区画して、隣接する筒体（分割廻り縁２３）のスピーカー同士の干渉を確実に防止できる。
【００６９】
また、この発明の実施の形態のスピーカシステムは、前記筒体の前記入隅付近の取付面に接する部分に弾性材料製の振動吸収層を設けている。この構成によれば、スピーカーの動作に伴う筒体（分割廻り縁２３）の振動が振動吸収層（振動吸収部材２３Ｄ，２３Ｅ）により吸収されて、スピーカー（２９，３０）の背面から放出される音が直接に天井や壁或いは床等の室内面に直接入力されることがないので、天井や或いは壁等の室内面から外部や他の部屋に漏れる音を抑制できる。
【００７０】
また、この発明の実施の形態のスピーカシステムの前記振動吸収層（振動吸収部材２３Ｄ，２３Ｅ）は前記筒体（分割廻り縁２３）を押し出し成形により形成する際に前記筒体（分割廻り縁２３）に一体に形成したことを特徴とする。
【００７１】
この構成によれば、スピーカーを室内に配置してもスピーカーにより室内美観が損なわれることなく、天井や或いは壁等の室内面から外部や他の部屋に漏れる音を抑制することができる。
【００７２】
また、この発明の実施の形態のスピーカーシステムの前記入隅は、建物内の壁（３〜６）と天井７との間の天井側入隅（１６〜１９）又は壁（３〜６）と床２との間の床側入隅（８〜１１）若しくは隣接する壁（３〜６）間に形成された壁側入隅（１２〜１５）であり、前記建材本体は前記天井側入隅（１６〜１９）の廻り縁２０または前記床側入隅（８〜１１）の巾木若しくは前記壁側入隅（１２〜１５）に設けられる支柱である。
【００７３】
この構成によれば、建物内空間（居室１）に設けられる廻り縁２０または巾木若しくは支柱等の建物用建材にスピーカーが組み込まれるので、建物内空間の美観を損なうことなくスピーカーを配置できる。
【００７４】
以上、図面を参照して、本発明の実施例を詳述してきたが、具体的な構成は、この実施例に限らず、本発明の要旨を逸脱しない程度の設計的変更は、本発明に含まれる。
【図面の簡単な説明】
【００７５】
【図１】この発明に係るスピーカーシステムのための建物の居室の概略説明図である。
【図２】この図１の建物にこの発明に係るスピーカーシステムを組み込んだ説明図である。
【図３】図２のスピーカーシステムを居室内から見た概略斜視図である。
【図４】図３のスピーカーシステムの廻り縁の一部を取り外して示した斜視図である。
【図５】図４の前カバーを部分的に取り外して示した斜視図である。
【図６】図５の分割廻り縁とこれに取り付けられた端壁部材及び連結部材との関係を示す斜視図である。
【図７】図５の分割廻り縁及び連結部材との関係を示す斜視図である。
【図７Ａ】図７の分割廻り縁と端壁部材及び連結部材との関係を示す分解斜視図である。
【図８】図６の分割廻り縁を別の角度から見た斜視図である。
【図９】図４の廻り縁の一部を示す正面図である。
【図１０】図９のＡ１−Ａ１線に沿う断面図である。
【図１０Ａ】図１０のＡ２−Ａ２線に沿う断面図である。
【図１０Ｂ】図５の隣接する分割廻り縁の連結部の断面図である。
【図１０Ｃ】図１０ＢのＡ３−Ａ３線に沿う断面図である。
【図１１】図１０Ｂに示した端壁部材の端面図である。
【図１２】図１１の端壁部材の面図である。
【図１３】図７Ａの連結部材の端面図である。
【図１４】図１３の左側面図である。
【符号の説明】
【００７６】
１…居室（建物内空間）
２…床
３〜６…壁
７…天井
８〜１１…床側入隅
１２〜１５…壁側入隅
１６〜１９…天井側入隅
２０…廻り縁（建物用建材）
２１…廻り縁本体（建材本体）
２２…廻り縁カバー
２２ａ…分割前カバー（前カバー）
２３…分割廻り縁（筒体）
２３ｃ…スピーカー取付板部
２３Ｄ，２３Ｅ…振動吸収部材（振動吸収層）
２４…端壁部材（蓋体）
２６〜２８…取付穴
２９，３０…スピーカー
３１…ダクト・ターミナル部材
３７…配線用溝
３８…連結部材
４２…配線
【図１】
2007104393.tif 000003
【図２】
2007104393.tif 000004
【図３】
2007104393.tif 000005
【図４】
2007104393.tif 000006
【図５】
2007104393.tif 000007
【図６】
2007104393.tif 000008
【図７】
2007104393.tif 000009
【図７Ａ】
2007104393.tif 000010
【図８】
2007104393.tif 000011
【図９】
2007104393.tif 000012
【図１０】
2007104393.tif 000013
【図１０Ａ】
2007104393.tif 000014
【図１０Ｂ】
2007104393.tif 000015
【図１０Ｃ】
2007104393.tif 000016
【図１１】
2007104393.tif 000017
【図１２】
2007104393.tif 000018
【図１３】
2007104393.tif 000019
【図１４】
2007104393.tif 000020